(57)【要約】可変速度の送信が可能なＣＤＭＡデータ通信システムでは、ビーム切換え技術の使用は基地局からセルまたは近隣セル内の加入者局への送信により生じる平均干渉を減少する。基地局は多数の送信アンテナを使用し、それらはそれぞれセクタ分割に対応する送信信号を成形するため制御された振幅および位相で信号を送信する。データおよび基準信号は加入者局で測定された搬送波対干渉比を最大にすることによってシステム容量とデータレートを増加するために固定したタイムスロットにしたがって交互にセクタ分割ビームに沿って送信される。【選択図】図２
2004508744.tif 000002
【特許請求の範囲】
【請求項１】
セクションの第１および第２のセットの交互のセクションにより規定されるセルで信号を送信する方法において、
第１のタイムスロットにおいてセクションの第１のセットのセクションに信号を送信し、
第２のタイムスロットにおいてセクションの第２のセットのセクションに信号を送信するステップを含んでいる方法。
【請求項２】
第１の逆方向リンクのタイムスロット中にデータレート制御メッセージが加入者局から受信されたとき第２のセットのセクションに信号を送信し、
第２の逆方向リンクのタイムスロット中にデータレート制御メッセージが加入者局から受信されたとき第１のセットのセクションに信号を送信するステップをさらに含んでいる請求項１記載の方法。
【請求項３】
第１のセットのセクションに送信される信号セットは第２のセットのセクションに送信される情報と同一の情報を含んでいる請求項１記載の方法。
【請求項４】
セクタおよびサブセクタ分割部に分割されるセル内に位置する少なくとも１つの基地局を有する無線通信システムにおけるビーム切換え方法において、前記基地局は送信タイムスロット中に固定された信号ビームをサブセクタ分割部へ送信するように構成され、信号ビームの一方の半分は奇数番号として識別され、他方の半分の信号ビームは偶数番号として識別され、同様の識別されたビームは隣接して位置されておらず、タイムスロットの一方の半分は奇数番号として識別され、他方の半分のタイムスロットは偶数番号として識別され、
奇数番号として識別されたタイムスロット中でのみ奇数番号のビームを送信し、
偶数番号として識別されたタイムスロット中でのみ偶数番号のビームを送信することを含んでいる方法。
【請求項５】
基地局において、さらに加入者局が順方向リンクでデータを受信しているタイムスロットの識別に対して正反対の識別を有する逆方向リンク送信タイムスロット中に逆方向リンクで加入者局から送信されたデータレート制御メッセージを受信する請求項４記載の方法。
【請求項６】
奇数番号で識別されたビームは偶数番号で識別されたビームに含まれている情報と同一の情報を含んでいる請求項４記載の方法。
【請求項７】
無線信号を送信する装置において、
（ａ）少なくとも１つのアンテナ送信サブシステムと、
（ｂ）前記少なくとも１つのアンテナ送信サブシステムに結合され、それぞれ複数の位相制御信号を発生するように構成され、第１および第２のセットのセル分割部への送信を交互に行うために前記位相制御信号を前記少なくとも１つのアンテナ送信サブシステムのそれぞれに与えるビーム成形制御プロセッサとを具備し、
各アンテナ送信サブシステムはさらに、
１）複数の位相制御信号の１つに基づいて位相制御された上方変換信号を発生するように構成された信号発生器と、
２）前記発生手段に動作可能に結合され、増幅された信号を発生するように前記位相制御された上方変換信号を増幅する増幅器と、
３）前記増幅器に動作可能に結合され、前記増幅された信号を無線で送信する送信アンテナとを具備している装置。
【請求項８】
交互の送信は予め定められた送信タイムスロットにしたがって交互に行われる請求項７記載の装置。
【請求項９】
少なくとも１つの基地局への高速度のデータ送信のための送信機において、
交互のタイムスロットのセット中にデータパケットを受信するように構成されたエンコーダと、
第１または第２のセットの交互のタイムスロット中に送信するために受信されたデータパケットから得られたチャンネル状態情報に応答して発生されたデータレート制御メッセージをコード化するように構成されたデータレート制御エンコーダとを具備している送信機。
【発明の詳細な説明】
【０００１】
【発明の属する技術分野】
本発明は無線データ通信、特に無線通信システムにおける優秀で改良された高速度のパケットデータ送信方法および装置に関する。
【０００２】
【従来の技術】
現代の通信システムは種々のアプリケーションをサポートするために必要とされる。１つのこのような通信システムは以後ＩＳ−９５標準規格と呼ぶ“ＴＩＡ／ＥＩＡ−／ＩＳ−９５ Ｍｏｂｉｌｅ Ｓｔａｔｉｏｎ−Ｂａｓｅ Ｓｔａｔｉｏｎ Ｃｏｍｐａｔｉｂｉｌｉｔｙ Ｓｔａｎｄａｒｄ ｆｏｒ Ｄｕａｌ−Ｍｏｄｅ Ｗｉｄｅｂａｎｄ Ｓｐｒｅａｄ Ｓｐｅｃｔｒｕｍ Ｃｅｌｌｕｌａｒ Ｓｙｓｔｅｍ”にしたがったコード分割多元アクセス（ＣＤＭＡ）システムである。ＣＤＭＡシステムは地上リンクによるユーザ間の音声およびデータ通信を可能にする。多重アクセス通信システムにおけるＣＤＭＡ技術の使用は、米国特許第４，９０１，３０７ 号明細書（発明の名称“ＳＰＲＥＡＤ ＳＰＥＣＴＲＵＭ ＭＵＬＴＩＰＬＥ ＡＣＣＥＳＳ ＣＯＭＭＵＮＩＣＡＴＩＯＮ ＳＹＳＴＥＭ ＵＳＩＮＧ ＳＡＴＥＬＬＩＴＥ ＯＲ ＴＥＲＲＥＳＴＲＩＡＬ ＲＥＰＥＡＴＥＲＳ ”）および、米国特許第５，１０３，４５９ 号明細書（発明の名称“ＳＹＳＴＥＭ ＡＮＤ ＭＥＴＨＯＤ ＦＯＲ ＧＥＮＥＲＡＴＩＮＧ ＷＡＶＥＦＯＲＭＳ ＩＮ Ａ ＣＤＭＡ ＣＥＬＬＵＬＡＲ ＴＥＬＥＰＨＯＮＥ ＳＹＳＴＥＭ”）に記載されており、この両者は本出願人に譲渡され、ここで参考文献とされている。
【０００３】
この明細書では、基地局とは加入者局がこれを使用して通信するハードウェアを意味している。セルとは使用される文脈に応じて、ハードウェアまたは地理的なカバー区域を呼ぶ用語である。セクタはセルの区分である。サブセクタはセクタの分割部分である。ＣＤＭＡシステムのセクタおよびサブセクタがセルの属性を有するので、セルに関して説明された考え方はセクタおよびサブセクタまで容易に拡張される。
【０００４】
ＣＤＭＡシステムでは、ユーザ間の通信は１以上の基地局を通して行われる。加入者局の第１のユーザは逆方向リンクでデータを基地局へ送信することによって第２の加入者局の第２のユーザへ通信する。基地局はデータを受信し、そのデータを別の基地局へ伝送できる。データは同一の基地局または第２の基地局の順方向リンクで第２の加入者局へ送信される。順方向リンクとは基地局から加入者局への送信を言い、逆方向リンクとは加入者局から基地局までの送信を言う。ＩＳ−９５システムでは、別々の周波数が順方向リンクと逆方向リンクに割当てられる。
【０００５】
加入者局は通信中に少なくとも１つの基地局と通信する。ＣＤＭＡ加入者局はソフトハンドオフ中に多数の基地局と同時に通信することができる。ソフトハンドオフは先の基地局とのリンクを切断する前に新しい基地局とのリンクを設定するプロセスである。ソフトハンドオフは呼のドロップする確率を最小にする。ソフトハンドオフプロセス中に１よりも多数の基地局を通って加入者局との通信を設定する方法およびシステムは米国特許第５，２６７，２６１ 号明細書（発明の名称“ＭＯＢＩＬＥ ＡＳＳＩＳＴＥＤ ＳＯＦＴ ＨＡＮＤＯＦＦ ＩＮ Ａ ＣＤＭＡ ＣＥＬＬＵＬＡＲ ＴＥＬＥＰＨＯＮＥ ＳＹＳＴＥＭ”）に記載されており、これは本出願人に譲渡され、ここで参考文献とされる。ソフトハンドオフは同一の基地局によってサービスされる多数のセクタで通信を行うプロセスである。ソフトハンドオフのプロセスは米国特許第５，６２５，８７６ 号明細書（発明の名称“ＭＥＴＨＯＤ ＡＮＤ ＡＰＰＡＲＡＴＵＳ ＦＯＲ ＰＥＲＦＯＲＭＩＮＧ ＨＡＮＤＯＦＦ ＢＥＴＷＥＥＮ ＳＥＣＴＯＲＳ ＯＦ Ａ ＣＯＭＭＯＮ ＢＡＳＥ ＳＴＡＴＩＯＮ”）に記載されており、これは本出願人に譲渡され、ここで参考文献とされる。
【０００６】
無線データ応用の需要が増加すると、非常に効率的な無線データ通信システムの必要性が非常に重要になる。ＩＳ−９５標準方式は順方向および逆方向リンクでデータトラフィックおよび音声トラフィックを送信することができる。固定したサイズのコードチャンネルフレームでデータトラフィックを送信する方法は米国特許第５，５０４，７７３ 号明細書（発明の名称“ＭＥＴＨＯＤ ＡＮＤ ＡＰＰＡＲＡＴＵＳ ＦＯＲ ＴＨＥ ＦＯＲＭＡＴＴＩＮＧ ＯＦ ＤＡＴＡ ＦＯＲ ＴＲＡＮＳＭＩＳＳＩＯＮ”）に記載されており、これは本出願人に譲渡され、ここで参考文献とされる。ＩＳ−９５標準にしたがって、データトラフィックまたは音声トラフィックは１４．４Ｋｂｐｓ程度の高さのデータレートで２０ミリ秒の幅であるコードチャンネルフレームに区分される。
【０００７】
順方向および逆方向リンクによる高いレートのデータトラフィックおよび音声トラフィックの送信は高いデータレートの標準方式で提案されている。提案された高いデータレート標準方式にしたがって、データトラフィックまたは音声トラフィックは可変の継続期間のタイムスロットに区分される。コードチャンネルフレームは１乃至１６のタイムスロットを含んでいる。ビーム成形技術は基地局から近隣セルの加入者局への送信により生じる干渉を減少するための技術であり、セルは１９９９年９月１日の米国特許出願第０９／３８８，２６７号明細書（発明の名称“ＭＥＴＨＯＤ ＡＮＤ ＡＰＰＡＲＡＴＵＳ ＦＯＲ ＢＥＡＭＦＯＲＭＩＮＧ ＩＮ Ａ ＷＩＲＥＬＥＳＳ ＳＹＳＴＥＭ ”）に詳細に記載されており、本出願人に譲渡され、ここで参考文献とされる。
【０００８】
音声サービスとデータサービスの大きな差は、音声サービスが厳密で固定した遅延の要件を有することである。典型的にスピーチフレームの全体的な１方向遅延は１００ミリ秒よりも小さくなければならない。対照的に、データ遅延はデータ通信システムの効率を最適にするために使用される可変パラメータになることができる。特別に、音声サービスにより許容されることができるよりも非常に大きい遅延を必要とするさらに効率的なエラー補正コード化技術が使用されることができる。データの例示的な効率的コード化方式は１９９６年１１月６日の米国特許出願第０８／７４３，６８８号明細書（発明の名称“ＳＯＦＴ ＤＥＣＩＳＩＯＮ ＯＵＴＰＵＴ ＤＥＣＯＤＥＲ ＦＯＲ ＤＥＣＯＤＩＮＧ ＣＯＮＶＯＬＵＴＩＯＮＡＬＬＹ ＥＮＣＯＤＥＤ ＣＯＤＥＷＯＲＤＳ ”）に記載されており、本出願人に譲渡され、ここで参考文献とされる。
【０００９】
音声サービスとデータサービスの別の大きな差は、音声サービスが全てのユーザに対して固定した共通のサービスグレード（ＧＯＳ）を必要とすることである。典型的に、音声サービスを与えるデジタルシステムでは、これは全てのユーザに対して固定された等しい送信速度と、スピーチフレームのエラー率の最大の許容値に変換する。対照的に、データサービスに対してはＧＯＳはユーザによって異なり、データ通信システムの効率全体を増加するために最適にされるパラメータである。データ通信システムのＧＯＳは典型的に、以後データパケットと呼ぶ予め定められたデータ量の転送で生じる遅延全体として定義される。
【００１０】
音声サービスとデータサービスのさらに別の大きな差は、音声サービスは確実な通信リンクを必要とすることであり、この確実な通信リンクは、例示的なＣＤＭＡ通信システムではソフトハンドオフにより設定される。ソフトハンドオフは確実性を改良するために２以上の基地局からの冗長送信を行う。しかしながら、この付加的な確実性は誤って受信されたデータパケットは再送信されることができないので、データ送信では必要とされない。データサービスでは、ソフトハンドオフのサポートに使用される送信パワーは付加的なデータを送信するためにさらに効率的に使用される。
【００１１】
データ通信システムの品質および効率を測定するパラメータはデータパケットの転送に必要とされる送信遅延と、システムの平均的なスループットレートである。送信遅延は音声通信と同様にデータ通信にもインパクトを与えないが、データ通信システムの品質を測定するのに重要な計量である。平均スループットレートは通信システムのデータ送信能力の効率の尺度である。
【００１２】
セルラシステムでは、任意の所定のユーザの搬送波対干渉比Ｃ／Ｉがカバー区域内のユーザの位置の関数であることがよく知られている。所定のレベルのサービスを維持するために、ＴＤＭＡおよびＦＤＭＡシステムは周波数再使用技術に頼り、即ち全ての周波数チャンネルおよび／またはタイムスロットが各基地局で使用されるわけではない。ＣＤＭＡシステムでは、同一の周波数割当てがシステムのそれぞれのセルで再使用され、したがって効率全体を改良する。任意の所定のユーザの加入者局が実現するＣ／Ｉは基地局からユーザの加入者局までのこの特定のリンクでサポートされることができる情報レートを決定する。送信に使用される特別な変調およびエラー補正方法の場合、所定のレベルの性能が対応するＣ／Ｉレベルで実現される。六角形のセルレイアウトを有し、セル毎に共通の周波数を使用する理想化されたセルラシステムでは、理想化されたセル内で実現されるＣ／Ｉの分布が計算されることができる。無線通信システムで高いレートのデジタルデータを送信する例示的なシステムは１９９７年１１月３日の米国特許出願第０８／９６３，３８６号明細書（発明の名称“ＭＥＴＨＯＤ ＡＮＤ ＡＰＰＡＲＡＴＵＳ ＦＯＲ ＨＩＧＨＥＲ ＲＡＴＥ ＰＡＣＫＥＴ ＤＡＴＡ ＴＲＡＮＳＭＩＳＳＩＯＮ ”（以後’３８６号明細書とする））に記載されており、本出願人に譲渡され、ここで参考文献とされている。
【００１３】
【発明が解決しようとする課題】
ロードされたＣＤＭＡシステムの信号干渉の多くは同じＣＤＭＡシステムに属する送信機により発生されることもよく知られている。干渉を減少することによって容量およびデータレートを増加するために、セルは低いパワーで動作するセクタまたはさらに小さいセルへしばしば分割される。しかしながら通常の方法は高価であり、広く変化する信号伝播特性を有する分野で適用することが困難である。通常の方法はまたセクタ境界の近くで貧弱な信号品質を典型的に有する。システム容量とデータレートを増加しながら、システムのエレメント間の相互干渉を減少する簡単な方法が必要とされている。
【００１４】
【課題を解決するための手段】
開示された実施形態は加入者局で測定される搬送波対干渉比（Ｃ／Ｉ）を最大にすることによってＣＤＭＡデータ通信システム容量とデータレートを増加する優秀で改良された方法を与える。ビーム切換え技術の使用は基地局からセルおよびその近隣セルのセクタ内の加入者局への送信により生じる干渉を減少する。基地局は多数の送信アンテナを使用し、それらはそれぞれセクタ分割またはサブセクタに対応する送信信号ビームを成形するために制御された振幅および位相で信号を送信する。データおよび基準信号は近隣ビームからの干渉なしに加入者局にエネルギを集中するために固定したタイムスロットにしたがって交互にセクタ分割ビームに沿って送信される。
【００１５】
【発明の実施の形態】
本発明の特徴、目的、利点は添付図面を伴った以下の詳細な説明からさらに明白になるであろう。同一の参照符号は全体を通じて対応して示されている。
開示された実施形態は、他の加入者局への干渉を最少にしながら、強力な順方向リンク信号を目的地の加入者局へ与えることによってＣＤＭＡシステムの効率を改良する。
【００１６】
説明した実施形態は、地上無線アプリケーションで使用するための固定されたビーム切換え技術に適合することによって高いデータレートの無線システムで容量を最大にする方法を与える。開示された実施形態にしたがって、各基地局で多数の送信アンテナを有するセルラシステムを説明する。各基地局から、同じ信号であるがそれぞれ異なる相対位相シフトおよびパワーレベルを有する信号はサブセクタ、即ち加入者局が位置されているセクタ部分にエネルギを集中するために各アンテナから送信される。目的地とする信号の受信機（通常は単一の加入者局）の搬送波対干渉比（Ｃ／Ｉ）を最大にするために、各送信アンテナから送信される信号の振幅および位相は適切に設定されなければならない。
【００１７】
評価されたＣ／Ｉに基づいている任意の信号品質測定値は基地局へのフィードバックとして加入者局により使用されてもよい。’３８６明細書に説明されている例示的な高いデータレートの無線通信システムでは、加入者局はその評価されたＣ／Ｉに基づいてパケットを適切に受信できるデータレートを決定する。Ｃ／Ｉ測定の代わりにデータレートがデータレート制御（ＤＲＣ）信号の形態で基地局へ送信される。ＤＲＣ情報は加入者局により送信される逆方向リンク信号中に埋設されている。基地局はまた加入者局へデータを送信するタイムスロットを決定するためにＤＲＣ信号の変化を使用してもよい。
【００１８】
通常、単一のビームはセクタ内の受信機の位置にかかわりなくセクタ全体をカバーするセクタで送信される。単一のビームは加入者局がエネルギを受信できない場合エネルギを浪費し、他のユーザと干渉する。説明した実施形態はセクタをサブセクタに分割して加入者局が位置されている各サブセクタへ固定されたビームを直接送信し、干渉を減少するため隣接していないサブセクタ間で交互にすることにより加入者局で搬送波対干渉比（Ｃ／Ｉ）を最大にする。
【００１９】
図１は３つのセクタセルで構成されている地上基地局を示している。セル１００ は３つのセクタ １０２、 １０４、 １０６を具備している。図示された実施形態では基地局１０８ はセル１００ の各セクタ中に位置されている。他の実施形態では、単一の基地局が１つのセルの２以上のセクタをサービスしてもよい。基地局１０８ は４つの送信アンテナ１１０ により固定したビームを送信する。各基地局１０８ は４つの送信アンテナ１１０ を有して示されているが、説明された実施形態は指向性アンテナアレイを使用するものを含む１以上の送信アンテナを有する基地局に適用可能である。さらに、当業者は例えば無指向性アンテナおよび指向性アンテナを含む種々のタイプおよび偏波のアンテナが使用されてもよいことを認識するであろう。さらに基地局からの送信に使用される１つのアンテナは同一の基地局により使用される他のアンテナとは異なるタイプであってもよい。
【００２０】
アンテナエレメント１１０ はセクタ １０２、 １０４、 １０６毎に複数の固定したビームを発生するように構成された各セクタ １０２、 １０４、 １０６に対するフェイズドアレイを形成する。示されている特別な実施形態では、セクタ １０２、 １０４、 １０６毎に４つの固定したビームが存在する。単一の基地局１０８ の複数のアンテナ１１０ により送信される信号は送信振幅および位相の差を除いて同一であることが有効である。信号を送信するとき、基地局１０８ は基地局１０８ がサービスするセクタ １０２、 １０４、 １０６の固定した分割部またはサブセクタを指向する固定した信号ビームを形成するためにアンテナ１１０ により送信される信号の振幅および位相を調節する。
【００２１】
通常、サブセクタ分割部へ送信するために切替わるビームを使用する基地局１０８ は単一のアンテナによりセクタ全体 １０２、 １０４、 １０６へ送信する基地局１０８ よりも近接するセブセクタの加入者局に対して発生する干渉が少ない。
【００２２】
図２は３つのセクタ ２０２、 ２０４、 ２０６を具備する例示的なセル２００ を示している。４つのサブセクタ、即ち０ ２０７、１ ２０９、２ ２１１、３ ２１３に分割されているセクタ２０４ が示されている。各サブセクタ ２０７、 ２０９、 ２１１、 ２１３はセクタ２０４ をサービスする基地局（図示せず）のアンテナエレメントにより発生される（それぞれの）固定した送信ビーム ２０８、 ２１０、 ２１２、 ２１４によりカバーされる。交互のサブセクタ ２０７、 ２０９、 ２１１、 ２１３は偶数または奇数として指定されると便利である。サブセクタ０ ２０７と２ ２１１は偶数のサブセクタとして指定され、サブセクタ１ ２０９と３ ２１３は奇数のサブセクタとして指定されている。データ送信スロットはまた偶数および奇数の番号により識別されると便利である。サブセクタ送信ビーム ２０８、 ２１０、 ２１２、 ２１４はセクタ２０４ 内の加入者局２１６ の位置にかかわりなく固定された状態である。加入者局２１６ は利用可能なパイロットのＣ／Ｉを測定することにより最良のビーム ２０８、 ２１０、 ２１２、 ２１４を選択する。開示された実施形態では、送信はＣＤＭＡ信号であり、ここでは他の加入者局とセル区域をサービスする基地局の送信は受信する加入者局２１６ が受ける主要な干渉を生じさせる。示された実施形態では、各加入者局２１６ はＣ／Ｉまたは搬送波対干渉比の評価を実行する。結果的なＣ／Ｉ測定情報はデータレート制御（ＤＲＣ）信号へ変換される。Ｃ／Ｉ測定の代わりのＤＲＣはその後、各加入者局２１６ からそのサービスする基地局へ送信される。基地局は固定したパワーレベルで送信するが、その加入者局２１６ から受信されたＣＲＣ情報にしたがって各加入者局２１６ へ送信するために使用されるデータレートを変化する。加入者局２１６ は順方向リンクで送信するためのデータレートの選択に使用されるＤＲＣ情報をその基地局へ送信するためにＣ／Ｉの測定を行う。加入者局２１６ への干渉量が大きいならば、基地局は低いデータレートで加入者局２１６ へ送信する。反対に、加入者局２１６ への干渉量が小さいならば、基地局は高いデータレートで加入者局２１６ へ送信する。
【００２３】
通常のセルラ通信システムにおける加入者局２１６ への干渉はビームがオーバーラップするセルおよびセクタ境界で大きい。通常、サブセクタ境界の加入者局２１６ はいずれかのサブセクタ送信ビームと通信するが、近接するビームは相互に干渉し、Ｃ／Ｉを低下させる。説明した実施形態は奇数および偶数の送信タイムスロット中に偶数番号 ２０８と ２１２と、奇数番号 ２１０と ２１４のサブセクタビームで交互に送信する簡単な方法を使用してサブセクタの境界付近の干渉を除去する。偶数番号タイムスロット中、偶数番号のビーム ２０８と ２１２だけが送信される。奇数番号のビーム ２１０と ２１４の振幅および位相係数は偶数のタイムスロット中は０に設定される。奇数番号の送信タイムスロット中、奇数番号のビーム ２１０と ２１４だけが送信される。偶数信号のビーム ２０８と ２１２の振幅および位相係数は奇数タイムスロット中は０に設定される。所定のタイムスロットでは、４つのビームセットのうちの２つはアクチブである。干渉（Ｉ）の除去はＣ／Ｉを上昇し、システム容量とデータレートとを増加する。説明された実施形態の交互のビーム切換え方法は、所定のタイムスロット中に送信する１２のサブセクタセルの６つのサブセクタにより、境界干渉を有する通常の６つのセクタセル構造よりも良好に動作する。説明された実施形態の交互のビーム切換え方法は良好な受信信号品質を境界付近に位置する加入者局２１６ へ提供し、加入者局２１６ がさらに高いデータレートをリクエストすることを可能にする。
【００２４】
当業者は、本発明の技術的範囲を逸脱することなく、セルがセクションまたはセクタおよびサブセクタの任意の順列に任意に分割できることを理解するであろう。
【００２５】
図３のＡ、Ｂ、Ｃは、固定された送信タイムスロットにしたがって交互する固定されたセクタ分割ビームを示しているタイミング図である。
【００２６】
図３のＡは所定の時間における付勢された偶数番号のタイムスロットと消勢された奇数番号のタイムスロットの１例を示している。
【００２７】
図３のＢは所定の付勢された偶数番号の送信タイムスロット中の偶数番号を付けられたビーム０および２で生じる基地局送信を示している。
【００２８】
図３のＣは所定の付勢された偶数番号の送信タイムスロット中の奇数番号を付けられたビーム１および３で生じない基地局送信を示している。
【００２９】
説明された実施形態は、偶数および奇数番号の送信タイムスロットと、対応する偶数および奇数番号のサブセクタ送信ビームを利用可能に識別する。偶数番号の信号ビームは偶数番号の送信タイムスロット中にのみ送信される。奇数番号の信号ビームは奇数番号の送信タイムスロット中にのみ送信される。所定のタイムスロット中に、半分のサブセクタ送信ビームが付勢され、一方半分のサブセクタ送信ビームは消勢される。近接する送信ビームからの干渉は説明された実施形態の交互のビーム切換え方法により有効に除去される。
【００３０】
基地局は加入者局から受信されるＤＲＣメッセージを使用してそれらのサブセクタカバー区域に位置する加入者局の知識を維持する。同じ信号は加入者局の位置にかかわりなく、１つのセクタの全てのサブセクタへ送信される。Ｃ／Ｉを改良するための複雑な追跡方法およびスマートアンテナ方式の要求は説明された実施形態の簡潔性により除去される。
【００３１】
図４は１実施形態にしたがった方法ステップを示している。前述したように、システム容量とデータレートは加入者局で測定されたＣ／Ｉを最大にすることにより増加される。Ｃ／Ｉはビーム切換え方法を使用して最大にされる。
【００３２】
ステップ４０２ では、奇数番号のサブセクタビームは基地局からの奇数番号のタイムスロット中に順方向リンクで送信される。奇数番号の送信スロット中にデータを受信する加入者局（図示せず）はデータパケットを受信し、その受信されたデータのＣ／Ｉに基づいてＤＲＣを生成する。それぞれの送信タイムスロットには、順方向リンクで送信されるパイロット信号または既知の信号のバーストが存在する。加入者局は次のタイムスロットで受信するデータのＣ／Ｉを予測するためにパイロット信号を使用する。評価されたＣ／Ｉに基づいて、加入者局はそれがサポートできるデータレートを決定する。所定のＣ／Ｉに対して、加入者局がサポートできる最大のデータレートが存在する。加入者局は、最大のデータレートを発見するために検索テーブルを使用して、次の付勢されたスロットのＣ／Ｉを予測するためにそれぞれの付勢されたタイムスロットで送信されるパイロット信号を使用する。
【００３３】
ステップ４０４ では、偶数番号の送信スロット中にデータを受信する加入者局は逆方向リンクの奇数番号タイムスロット中に逆方向リンクでそれらの基地局へＤＲＣを送信する。奇数番号タイムスロット毎に、偶数番号の送信スロット中にデータを受信する加入者局はそれらの基地局へＤＲＣメッセージを送信し、そのメッセージはこれが受信できるデータレートを示している。基地局はその後、次の偶数の番号のタイムスロット中に、指示されたレートで加入者局へ送信する。
【００３４】
ステップ４０６ では、偶数番号のサブセクタビームは順方向リンクで基地局から偶数番号のタイムスロット中に送信される。偶数番号の送信スロット中にデータを受信する加入者局はデータパケットを受信し、受信されたデータのＣ／Ｉに基づいてＤＲＣを生成する。
【００３５】
ステップ４０８ では、奇数番号の送信タイムスロット中にデータを受信する加入者基地局は逆方向リンクの偶数番号のタイムスロット中に逆方向リンクでそれらの基地局へＤＲＣを送信する。偶数タイムスロット毎に、奇数番号の送信スロット中にデータを受信する加入者局はそれらの基地局へＤＲＣメッセージを送信し、そのメッセージはこれが受信できるデータレートを示している。基地局は次の奇数番号タイムスロット中に、指示されたレートで加入者局へ送信する。
【００３６】
図５は、多数の送信アンテナにより、交互にサブセクタビーム信号を１以上の加入者局へ送信するために使用されるＣＤＭＡ基地局の例示的な実施形態のブロック図を示している。提案された第３世代のＣＤＭＡシステムでは、信号は直角位相シフトキー（ＱＰＳＫ）変調を使用して変調される。提案された高いデータレートのシステムでは、信号はＱＰＳＫ変調に加えて、８位相シフトキー（８ＰＳＫ）および、１６直角振幅変調（１６ＱＡＭ）を使用して変調される。ＱＰＳＫ信号の同位相（Ｉ）および直角位相（Ｑ）成分におけるロードを平衡するために、複素数ＰＮ拡散の方法が使用される。複素数ＰＮ拡散技術は１９９７年５月１４日の米国特許第０８／８５６，４２８号明細書（発明の名称“ＲＥＤＵＣＥＤ ＰＥＡＫ−ＴＯ−ＡＶＥＲＡＧＥ ＴＲＡＮＳＭＩＴ ＰＯＷＥＲ ＨＩＧＨ ＤＡＴＡ ＲＡＴＥ ＩＮ Ａ ＣＤＭＡ ＷＩＲＥＬＥＳＳ ＣＯＭＭＵＮＩＣＡＴＩＯＮ ＳＹＳＴＥＭ ”に記載されており、本出願人に譲渡され、ここで参考文献とされている。
【００３７】
送信されるデータは複素数疑似雑音（ＰＮ）スプレッダ５０２ への入力として与えられる同位相（Ｉ）および直角位相（Ｑ）サンプルストリームの形態で発生される。複素数ＰＮスプレッダ５０２ はＩおよびＱサンプルを短いＰＮコード発生器５０４ により発生された短いＰＮコードサンプルと混合する。結果的なＰＮ拡散サンプルストリームは上方変換されて加入者局（図示せず）へ送信されるべきベースバンドの複素数サンプルストリームを発生するためベースバンドの有限インパルス−応答（ＦＩＲ）フィルタ５０６ により濾波される。米国特許出願第０８／８５６，４２８号明細書にしたがって、ベースバンドのＦＩＲ ５０６へ与えられる信号は次式にしたがって拡散される。
ＸＩ ＝Ｉ＊ＰＮＩ −Ｑ＊ＰＮＱ　　　　　　　　　 （１）
ＸＱ ＝Ｑ＊ＰＮＩ −Ｉ＊ＰＮＱ　　　　　　　　　 （２）
ここでＩはデジタルの同位相サンプルであり、Ｑはデジタル直角位相サンプルであり、ＰＮＩ は同位相の短いＰＮシーケンスであり、ＰＮＱ は直角位相の短いＰＮシーケンスであり、ＸＩ とＸＱ は同位相と直角位相のチャンネルにそれぞれ変調される信号である。式（１）により表される信号はＦＩＲフィルタ５０６Ａにより濾波され、式（２）により表される信号はＦＩＲフィルタ５０６Ｂにより濾波される。ＦＩＲフィルタ５０６ は割当てられた帯域幅に適合しシンボル間干渉を最小にするように送信波形を成形するように動作する。
【００３８】
ＦＩＲフィルタ５０６ により出力される信号はアンテナ送信サブシステム５２４ へ与えられ、各アンテナ送信サブシステム５２４ は単一の送信アンテナ５２２ を具備する。スロットＴＤＭタイミング発生器５０７ は各送信スロット内の種々の時分割多重（ＴＤＭ）送信期間に対応してタイミング信号を発生する。スロットＴＤＭタイミング発生器５０７ は出力信号をビーム成形制御プロセッサ５０８ へ与え、このプロセッサ５０８ はその信号を使用して偶数および奇数番号のサブセクタ信号ビームで偶数および奇数ＴＤＭ期間に対応する信号を交互に送信する。
【００３９】
ビーム成形制御プロセッサ５０８ はデジタル信号プロセッサ（ＤＳＰ）、特定用途向け集積回路（ＡＳＩＣ）、ディスクリートなゲート論理装置、ファームウェア、フィールドプログラム可能なゲートアレイ（ＦＰＧＡ）、プログラム可能な論理装置（ＰＬＤ）、または任意の通常のプログラム可能なソフトウェアモジュールおよびマイクロプロセッサを含んでもよいことが当業者により理解されよう。ソフトウェアモジュールはプロセッサ、ＲＡＭメモリ、フラッシュメモリ、レジスタまたは技術で知られている任意の他の形態の記憶媒体中に位置する。その代わりに、任意の通常のプロセッサ、制御装置、状態マシン、または必要な振幅および位相制御信号を発生し調節できるその他の装置はマイクロプロセッサに代って使用されてもよい。当業者はこれが送信装置中に既に存在する別のプロセッサ内にビーム成形制御プロセッサ５０８ を構成することを妨害しないことを認識するであろう。
【００４０】
スロットＴＤＭタイミング発生器５０７ からの信号に基づいて、ビーム成形制御プロセッサ５０８ は別々の位相および振幅制御信号を各アンテナ送信サブシステム５２４ へ提供する。位相および振幅制御信号係数を各アンテナ送信サブシステム５２４ へ調節することによって、ビーム成形制御プロセッサ５０８ はサブセクタビームを発生し、偶数と奇数番号のタイムスロットにしたがって基地局のサブセクタ送信ビームをオン、オフに切換える。位相および振幅係数の固定したセットはサブセクタビームを成形する。アクチブタイムスロット中、ビーム係数は焦点を結ばれたサブセクタビーム信号を形成するために使用される。アクチブではないタイムスロット中、信号係数はゼロに設定され、サブセクタビームをオフに切換える。示されているように、ビーム成形制御プロセッサ５０８ は振幅制御信号α１ と位相制御信号φ１ をアンテナ送信サブシステム５２４Ａへ提供し、振幅制御信号αＮ と位相制御信号φＮ をアンテナ送信サブシステム５２４Ｎへ提供する。
【００４１】
１実施形態では、ビーム成形制御プロセッサ５０８ は基地局のカバー区域に各サブセクタビームのための最適なビーム成形パラメータのデータベースを維持する。
【００４２】
各アンテナ送信サブシステム５２４ は上方変換、位相制御、振幅、１つの送信アンテナ５２２ による信号の送信に必要なコンポーネントを含んでいる。ベースバンドＦＩＲ ５０６Ａ により与えられる信号はミキサ５１２Ａにおいて、位相制御された発振器５１０Ａにより与えられる混合信号と混合される。ベースバンドＦＩＲ ５０６Ｂ により与えられる信号はミキサ５１４Ａで、位相制御された発振器５１８Ａにより与えられる混合信号と混合される。示されているように、位相制御された発振器５１０ および５１８ はビーム成形制御プロセッサ５０８ から振幅および位相制御信号を受信し、これらの信号はその出力混合信号の位相および振幅を変化させるために使用される。ミキサ５１２Ａと５１４Ａの出力信号は加算器５１６Ａで共に加算され、送信アンテナ５２２Ａを経て送信するために増幅器５２０Ａへ与えられる。当業者は送信サブシステム５２４Ｎと他の送信サブシステム（図示せず）が送信サブシステム５２４Ａと類似して機能することを認識するであろう。
【００４３】
各アンテナ送信サブシステム５２４ で図示されていないが、増幅および送信前にデジタル信号をアナログフォーマットに変換するために必要なデジタルアナログ変換器（ＤＡＣ）が設けられている。当業者は、アナログフォーマットへの変換が本発明の技術的範囲を逸脱せずに行われる位置が多数存在することを認識するであろう。
【００４４】
１実施形態では、各アンテナ送信サブシステム５２４ は加算器５１６ と増幅器５２０ との間に位置するＤＡＣを含んでいる。この実施形態では、ミキサ５１２ と５１４ はデジタルミキサであり、位相制御された発振器５１０ と５１８ はデジタル発振器信号を発生する。各ＤＡＣは加算器５１６ のデジタル出力をアナログ信号に変換する役目を行い、この信号はその後、増幅器５２０ により増幅され送信される。
【００４５】
別の実施形態では、アンテナ送信サブシステム５２４ に与えられる入力信号は既にアナログフォーマットである（アンテナ送信サブシステム５２４ に与えられる前にアナログに変換される）。この別の実施形態では、位相制御された発振器５１０ と５１８ はアナログ混合信号を発生し、ミキサ５１２ と５１４ はアナログミキサであり、加算器５１６ はアナログ加算器である。
【００４６】
当業者はまた各アンテナにより送信される信号の振幅制御が異なる方法で実行されることができることを認識するであろう。例示的な実施形態では、ビーム成形制御プロセッサ５０８ は振幅制御信号を、各アンテナ送信サブシステム５２４ のそれぞれの個々の増幅器５２０ へ与える。
【００４７】
当業者は位相制御された発振器５１０ と５１８ が種々の方法で構成されることができることを認識するであろう。例示的な実施形態では、位相制御されたダイレクトデジタルシンセサイザ（ＤＤＳ）は非常に微細な位相分解能のデジタル正弦波信号を発生するために使用されてもよい。別の実施形態では発振器５１０ と５１８ は位相制御されないで、位相シフタは加算器５１６ と増幅器５２０ との間に位置される。
【００４８】
２つのアンテナ送信サブシステム５２４Ａおよび５２４Ｎが図５で示されているが、１以上のアンテナ送信サブシステムがビーム成形基地局に構成されてもよい。１つの基地局が４つのサブセクタに分割された１セクタをサービスする典型的な構造では、４つのアンテナ送信サブシステム５２４ が構成される。
【００４９】
図６は１実施形態にしたがって構成された例示的な逆方向リンクアーキテクチャのブロック図である。データはデータパケットに区分され、エンコーダ６１２ へ与えられる。各データパケットでは、エンコーダ６１２ はＣＲＣパリティビットを発生し、コードテールビットを挿入し、データをエンコードする。１実施形態では、エンコーダ６１２ は前述の米国特許出願第０８／７４３，６８８号明細書に記載されているエンコードフォーマットにしたがってパケットをエンコードする。他のエンコードフォーマットが使用されてもよい。エンコーダ６１２ からエンコードされたパケットはコードシンボルを再整列させるインターリーバ６１４ へ与えられる。インターリーブされたパケットは乗算器６１６ へ与えられ、この乗算器６１６ はデータをウォルシュカバーでカバーし、カバーされたデータを利得素子６１８ へ与える。利得素子６１８ はデータレートにかかわりなく、一定したビット当たりのエネルギＥｂ を維持するためにデータをスケールする。利得素子６１８ からのスケールされたデータは乗算器６５０ｂと６５０ｄへ与えられ、乗算器６５０ｂと６５０ｄはデータをＰＮ　ＱとＰＮ　Ｉシーケンスでそれぞれ拡散する。乗算器６５０ｂと６５０ｄからの拡散データはデータを濾波するフィルタ６５２ｂと６５２ｄへそれぞれ与えられる。フィルタ６５２ａと６５２ｂからの濾波された信号は加算器６５４ａへ与えられ、フィルタ６５２ｃと ６５２ｄ からの濾波された信号は加算器６５４ｂへ与えられる。加算器６５４ はデータチャンネルからの信号をパイロット／ＤＲＣチャンネルからの信号と加算する。加算器６５４ａと６５４ｂの出力はそれぞれＩＯＵＴとＱＯＵＴを含み、これらは（順方向リンクのとき）同位相正弦波ＣＯＳ（ｗｃ ｔ）と直角位相正弦波ＳＩＮ（ｗｃ ｔ）でぞれぞれ変調され、送信前に加算される（図示せず）。例示的な実施形態では、データトラフィックは正弦波の同位相および直角位相の両者で送信される。
【００５０】
例示的な実施形態では、データは長いＰＮコードと短いＰＮコードで拡散される。長いＰＮコードは受信基地局が送信加入者局を識別できるようにデータをスクランブルする。短いＰＮコードはシステム帯域幅にわたって信号を拡散する。長いＰＮシーケンスは長いコード発生器６４２ により生成され、乗算器６４６ へ与えられる。短いＰＮＩ とＰＮＱ シーケンスは短いコード発生器６４４ により生成され、これも乗算器６４６ａと６４６ｂにそれぞれ与えられ、乗算器はＰＮ　Ｉ、ＰＮ　Ｑ信号をぞれぞれ形成するためシーケンスの２つのセットを乗算する。タイミング／制御回路６４０ はＰＮコード発生器６４２ と６４４ へタイミング基準を与える。ＰＮシーケンスの生成および使用は技術的に知られており、米国特許第５，１０３，４５９ 号明細書に記載されている。
【００５１】
図６で示されているようなデータチャンネルアーキテクチャの例示的なブロック図は逆方向リンクでのデータエンコードと変調をサポートする多数のアーキテクチャのうちの１つである。高いデータレートのデータ送信に対しては、多数の直交チャンネルを使用する順方向リンクのアーキテクチャと類似するアーキテクチャも使用されることができる。ＩＳ−９５標準方式にしたがうＣＤＭＡシステムの逆方向リンクトラフィックチャンネルのアーキテクチャ等の他のアーキテクチャも考慮され、本発明の技術的範囲内である。
【００５２】
例示的な実施形態では、逆方向リンクデータチャンネルは表１で列挙されている４つのデータレートをサポートする。付加的なデータレートおよび／または異なるデータレートがサポートされることができる。例示的な実施形態では、逆方向リンクのパケットサイズは表１に示されているようにデータレートに基づいている。前述の米国特許出願第０８／７４３／６８８号明細書に記載されているように、改良されたデコーダ性能はさらに大きいパケットサイズのために獲得されることができる。したがって、表１にリストされているのと異なるパケットサイズは性能の改良に使用されることができる。さらにパケットサイズはデータレートと独立しているパラメータを作ることができる。
【００５３】
表１−パイロットおよびパワー制御変調パラメータ
2004508744.tif 000003
表１で示されているように、逆方向リンクは複数のデータレートをサポートする。例示的な実施形態では、最低のデータレート９．６Ｋｂｐｓは基地局で登録したときに各加入者局へ割当てられる。例示的な実施形態では、加入者局は基地局から許可をリクエストする必要なく任意のタイムスロットで最低のレートのデータチャンネルでデータを送信できる。例示的な実施形態では、さらに高いデータレートでのデータ送信はシステムロード、公正さ、全体的なスループット等のシステムパラメータのセットに基づいて、選択された基地局により許可される。高速度のデータ送信用の例示的なスケジューリング機構は、１９９７年２月１１日の米国特許第０８／７９８，９５１号明細書（発明の名称“ＭＥＴＨＯＤ ＡＮＤ ＡＰＰＡＲＡＴＵＳ ＦＯＲ ＦＯＲＷＡＲＤ ＬＩＮＫ ＲＡＴＥ ＳＣＨＥＤＵＬＩＮＧ ”）および、１９９７年８月２０日の米国特許出願第０８／９１４，９２８号明細書（発明の名称“ＭＥＴＨＯＤ ＡＮＤ ＡＰＰＡＲＡＴＵＳ ＦＯＲ ＲＥＶＥＲＳＥ ＬＩＮＫ ＲＡＴＥ ＳＣＨＥＤＵＬＩＮＧ ”）に記載されており、この両者は本出願人に譲渡され、ここで参考文献とされる。
【００５４】
パイロット／ＤＲＣチャンネルの例示的なブロック図は図６に示されている。ＤＲＣメッセージは予め定められたコード化フォーマットにしたがってメッセージをエンコードするＤＲＣエンコーダ６２６ へ与えられる。不正確な順方向リンクデータレート決定がシステムのスループット性能に衝撃を与えるため、ＤＲＣメッセージのコード化はＤＲＣメッセージのエラー確率が十分に低いので重要である。例示的な実施形態では、ＤＲＣエンコーダ６２６ はＤＲＣメッセージをコードワードへエンコードするレート（８，４）ブロックエンコーダである。エンコードされたＤＲＣメッセージはそれをウォルシュコードでカバーする乗算器６２８ へ与えられ、これはＤＲＣメッセージが導かれる目的地基地局を特有に識別する。ウォルシュコードはウォルシュ発生器６２４ により与えられる。カバーされたＤＲＣメッセージはそのメッセージをパイロットデータにより多重化するマルチプレクサ（ＭＵＸ）６３０ へ与えられる。ＤＲＣメッセージとパイロットデータはデータをＰＮ　Ｉ、ＰＮ　Ｑ信号にぞれぞれ拡散する乗算器６５０ａと６５０ｃへ与えられる。したがって、パイロットとＤＲＣメッセージは正弦波の同位相および直角位相の両者で送信される。
【００５５】
例示的な実施形態では、ＤＲＣメッセージは選択された基地局へ送信される。これは選択された基地局を識別するウォルシュコードでＤＲＣメッセージをカバーすることにより実現される。例示的な実施形態では、ウォルシュコードは長さが１２８チップである。１２８チップのウォルシュコードの導出は技術で知られている。１つの特有のウォルシュコードは加入者局と通信中の各基地局に割当てられる。各基地局はその割当てられたウォルシュコードでＤＲＣチャンネルの信号のカバーを外す。選択された基地局はＤＲＣメッセージのカバーを外すことができ、それに応答して順方向リンクでリクエストする加入者局へデータを送信する。他の基地局はこれらの基地局が異なるウォルシュコードを割当てられているので、リクエストされたデータレートがそれらに導かれないことを決定できる。
【００５６】
例示的な実施形態では、データ通信システムの全ての基地局の逆方向リンクの短いＰＮコードは同じであり、異なる基地局を弁別するために短いＰＮシーケンスにオフセットが存在しない。データ通信システムは利用可能に逆方向リンクのソフトハンドオフをサポートする。オフセットのない同じ短いＰＮコードを使用することにより、多数の基地局がソフトハンドオフ中に加入者局から同じ逆方向リンク送信を受信できる。したがって、短いＰＮコードはスペクトル拡散を行うが、基地局の識別を可能にするためには有効ではない。
【００５７】
例示的な実施形態では、ＤＲＣメッセージは加入者局によりリクエストされるデータレートで伝播する。別の実施形態では、ＤＲＣメッセージは順方向リンクの品質の指示（例えば加入者局により測定されたときのＣ／Ｉ情報）を伝送する。捕捉中、１つの加入者局は同時に、１以上のサブセクタビームから順方向リンクパイロット信号を受信し、それぞれ受信されたパイロット信号でＣ／Ｉ測定を行う。捕捉中、加入者局は偶数および奇数番号のタイムスロットのパイロットを検索し測定を行う。加入者局は最高のＣ／Ｉを有するビームを選択する。加入者局はその後、反対の逆方向リンクタイムスロット中に逆方向リンクでＤＲＣメッセージをデータを受信する順方向リンクタイムスロットから受信する。加入者局はそれが新しいサブセクタを横切るならば、偶数番号から奇数番号のタイムスロットへ（その逆もあり）切換えられる。捕捉後、データが受信されたときにＣ／Ｉが交互の偶数または奇数番号のタイムスロットでのみ測定される点を除いて、Ｃ／Ｉは米国特許第５，５０４，７７３ 号明細書に記載されているように加入者局により評価される。加入者局はその後、現在および以前のＣ／Ｉ測定を有することができる１組のパラメータに基づいて最良のサブセクタビームを選択する。レート制御情報は幾つかの実施形態のうちの１つの基地局に伝送されることができるＤＲＣメッセージへフォーマットされる。
【００５８】
第１の実施形態では、加入者局はリクエストされたデータレートに基づいてＤＲＣメッセージを送信する。リクエストされたデータレートは加入者局により測定されたＣ／Ｉで満足できる性能をもたらす最高のサポートされたデータレートである。Ｃ／Ｉ測定から、加入者局は最初に適切な性能をもたらす最大のデータレートを計算する。最大のデータレートはその後、サポートされたデータレートの１つに量子化され、リクエストされたデータレートとして指定される。リクエストされたデータレートに対応するデータレートインデックスは選択された基地局へ送信される。サポートされたデータレートおよび対応するデータレートインデックスの例示的なセットは表１に示されている。
【００５９】
加入者局が順方向リンク品質の指示を選択された基地局へ送信する別の実施形態では、加入者局はＣ／Ｉ測定の量子化された値を表すＣ／Ｉインデックスを送信する。Ｃ／Ｉ測定は表にマップされ、Ｃ／Ｉインデックスに関連されることができる。Ｃ／Ｉインデックスを表すためにより多くのビットの使用により、Ｃ／Ｉ測定をさらに微細に量子化できる。またマッピングは線形または予め歪まされることができる。線形のマッピングでは、Ｃ／Ｉインデックスの各インクリメントはＣ／Ｉ測定では対応する増加を表す。例えば、Ｃ／Ｉインデックスの各ステップはＣ／Ｉ測定では２．０ｄＢの増加を表すことができる。予め歪まされたマッピングでは、Ｃ／Ｉインデックスの各インクリメントはＣ／Ｉ測定で異なる増加を表すことができる。１例として、予め歪まされたマッピングはＣ／Ｉ分布の累算的分布関数（ＣＤＦ）曲線と一致するようにＣ／Ｉ測定の量子化に使用されることができる。加入者局から基地局へレート制御情報を伝送するための他の実施形態が考えられ、それらもまた本発明の技術的範囲内である。さらに、レート制御情報を表すために異なる数のビットを使用することも本発明の技術的範囲内のものである。
【００６０】
例示的な実施形態では、Ｃ／Ｉ測定はＣＤＭＡシステムで使用される方法と類似した方法で順方向リンクパイロット信号で実行されることができる。Ｃ／Ｉ測定を実行する方法および装置は１９９６年９月２７日の米国特許出願第０８／７２２，７６３号明細書（発明の名称“ＭＥＴＨＯＤ ＡＮＤ ＡＰＰＡＲＡＴＵＳ ＦＯＲ ＭＥＡＳＵＲＩＮＧ ＬＩＮＫ ＱＵＡＬＩＴＹ ＩＮ Ａ ＳＰＲＥＡＤ ＳＰＥＣＴＲＵＭ ＣＯＭＭＵＮＩＣＡＴＩＯＮ ＳＹＳＴＥＭ ”）に記載されており、本出願人に譲渡され、ここで参考文献とされる。パイロット信号のＣ／Ｉ測定は受信された信号を短いＰＮコードによりデスプレッドすることにより行われることができる。
【００６１】
別の実施形態では、Ｃ／Ｉ測定は順方向リンクトラフィックチャンネルで行われることができる。トラフィックチャンネル信号は最初に長いＰＮコードと短いＰＮコードによりデスプレッドされ、ウォルシュコードによりカバーを外される。さらに大きい割合の送信されたパワーがデータ送信に割当てられるので、データチャンネルの信号のＣ／Ｉ測定はさらに正確である。加入者局による受信された順方向リンク信号のＣ／Ｉを測定するその他の方法も考えられ、本発明の技術的範囲内のものである。
【００６２】
例示的な実施形態では、ＤＲＣメッセージは最初の半分のタイムスロットで送信される。１．６６７ミリ秒の例示的なタイムスロットでは、ＤＲＣメッセージは第１の１０２４チップまたは、０．８３ミリ秒のタイムスロットを含んでいる。時間の残りの１０２４チップはＤＲＣメッセージを復調しデコードするために基地局により使用される。タイムスロットの早期部分のＤＲＣメッセージの送信は基地局が同じタイムスロット内のＤＲＣメッセージをデコードし、恐らく直ちに連続するタイムスロットのリクエストされたデータレートでデータを送信する。短い処理遅延は通信システムが動作環境の変化に迅速に適合することを可能にする。
【００６３】
別の実施形態では、リクエストされたデータレートは絶対基準および相対基準の使用により基地局へ伝送される。この実施形態では、リクエストされたデータレートを含む絶対基準は周期的に送信される。絶対基準により、基地局は加入者局によりリクエストされる正確なデータレートを決定できる。絶対基準の送信間の各タイムスロットでは、加入者局は相対基準を基地局へ送信し、これは入来するタイムスロットのリクエストされたデータレートが以前のタイムスロットのリクエストされたデータレートよりも高いが、低いかまたは同一であるかを示す。周期的に加入者局は絶対基準を送信する。データレートインデックスの周期的な送信によって、リクエストされたデータレートは既知の状態に設定され、相対的な基準のエラーのある受信が累積されないことを確実にする。絶対基準と相対基準の使用は基地局へのＤＲＣメッセージの送信レートを減少できる。リクエストされたデータレートを送信するための他のプロトコルも考えられ、本発明の技術的範囲内のものである。
【００６４】
現在説明している実施形態は基地局のセル内の加入者局へおよび近隣セル内での送信により生じる平均的な干渉を減少するためのサブセクタビーム切換え技術を使用する方法を提供する。
【００６５】
したがって、改良された順方向リンクデータ送信についての優秀で改良された方法および装置について説明した。当業者は、前述の説明を通じて参照されたデータ、命令、コマンド、情報、信号、ビット、シンボル、チップが電圧、電流、電磁波、磁界または粒子、光フィールドまたは粒子、またはその任意の組合わせによって有効に表されることを理解するであろう。当業者はここで説明した実施形態と共に説明された種々の図示の論理ブロック、モジュール、回路、アルゴリズムステップが電子ハードウェア、コンピュータソフトウェア、または両者の組合わせとして構成されてもよいことをさらに認識するであろう。種々の例示的なコンポーネント、ブロック、モジュール、回路、ステップをそれらの機能に関して一般的に説明した。機能がハードウェアまたはソフトウェアとして構成されるか否かはシステム全体に課された特定のアプリケーションおよび設計制約に基づいている。当業者はこれらの状態下でのハードウェアとソフトウェアの交換性と、各特定のアプリケーションに対する前述の機能を実行する最良の方法を認識するであろう。例として、ここで説明した実施形態と関連して説明した種々の例示的な論理ブロック、モジュール、回路、アルゴリズムステップが実行されてもよく、またはデジタル信号プロセッサ（ＤＳＰ）、特定用途用集積回路（ＡＳＩＣ）、フィールドプログラム可能なゲートアレイ（ＦＰＧＡ）または他のプログラム可能な論理装置、ディスクリートなゲート、トランジスタ論理装置、レジスタおよびＦＩＦＯ等のディスクリートなハードウェアコンポーネント、１セットのファームウェア命令を実行するプロセッサ、任意の通常のプログラム可能なソフトウェアモジュールおよびプロセッサ、またはここで説明した機能を実行するように設計された任意の組合わせで実行されてもよい。プロセッサは利用可能なマイクロプロセッサであってもよいが、その代りとして、プロセッサは任意の通常のプロセッサ、制御装置、マイクロ制御装置または状態マシンであってもよい。ソフトウェアモジュールはＲＡＭメモリ、フラッシュメモリ，ＲＯＭメモリ、ＥＰＲＯＭメモリ、ＥＥＰＲＯＭメモリ、レジスタ、ハードディスク、移動可能なディスク、ＤＣ−ＲＯＭまたは技術で知られている任意のその他の形態の記憶媒体中に位置される。プロセッサはＡＳＩＣ（図示せず）中に位置する。ＡＳＩＣは電話装置（図示せず）に存在してもよい。その代りに、プロセッサは電話装置に存在してもよい。プロセッサはＤＳＰとマイクロプロセッサの組合わせ、またはＤＳＰコア等と組合わせた２つのマイクロプロセッサとして構成されてもよい。
【００６６】
好ましい実施形態の先の説明は、当業者が本発明を実行または使用を可能にするために行われた。これらの実施形態に対する種々の変更は当業者に容易に明白であり、ここで規定された一般原理は本発明の発明力を使用せずに他の実施形態に適用されることができる。したがって、本発明はここで示されている実施形態に限定されるのではなく、ここで説明した原理と優秀な特徴と一貫した最も広い技術的範囲に従うことを意図している。
【図面の簡単な説明】
【図１】
１実施形態にしたがって構成された地上基地局の図。
【図２】
１実施形態にしたがってさらに再分割されたセクタを示した図。
【図３】
所定の時間における付勢された偶数タイムスロットと消勢された奇数タイムスロットの１例と、所定の付勢された偶数送信タイムスロット中の偶数番号を付けられたビーム０および２で生じる基地局送信と、所定の付勢された偶数送信タイムスロット中の奇数番号を付けられたビーム１および３で生じない基地局送信を示した図。
【図４】
加入者局で測定された搬送波対干渉比（Ｃ／Ｉ）を最大にすることによってシステム容量とデータレートを増加する方法のフローチャート。
【図５】
１実施形態にしたがって構成された基地局装置のブロック図。
【図６】
１実施形態にしたがって構成されたＣＤＭＡ逆方向リンク加入者局の一部のブロック図。
【図１】
2004508744.tif 000004
【図２】
2004508744.tif 000005
【図３】
2004508744.tif 000006
【図４】
2004508744.tif 000007
【図５】
2004508744.tif 000008
【図６】
2004508744.tif 000009
【国際公開パンフレット】
2004508744.tif 000010
2004508744.tif 000011
2004508744.tif 000012
2004508744.tif 000013
2004508744.tif 000014
2004508744.tif 000015
2004508744.tif 000016
2004508744.tif 000017
2004508744.tif 000018
2004508744.tif 000019
2004508744.tif 000020
2004508744.tif 000021
2004508744.tif 000022
2004508744.tif 000023
2004508744.tif 000024
2004508744.tif 000025
2004508744.tif 000026
2004508744.tif 000027
2004508744.tif 000028
2004508744.tif 000029
2004508744.tif 000030
2004508744.tif 000031
2004508744.tif 000032
2004508744.tif 000033
2004508744.tif 000034
2004508744.tif 000035
2004508744.tif 000036
2004508744.tif 000037
2004508744.tif 000038
2004508744.tif 000039
2004508744.tif 000040
2004508744.tif 000041
2004508744.tif 000042
2004508744.tif 000043
【国際公開パンフレット（コレクトバージョン）】
2004508744.tif 000044
2004508744.tif 000045
【国際調査報告】
2004508744.tif 000046
2004508744.tif 000047
2004508744.tif 000048